(57)【要約】      （修正有）【課題】多目的に使用できるコンパクトな石壁嵌合施工式納骨堂を提供する。【解決手段】鉄骨子枠本体１に鉄骨柱部２及び鉄骨床柱部３並びに天蓋鉄骨部４を設け、天蓋鉄骨部４上に宝塔鉄骨部５を設け、鉄骨子枠本体１各所部分に石壁受け鉄Ｌ上部アングル６と石壁受け鉄Ｌ中部アングル７及び石壁受け鉄Ｌ下部アングル８を設ける。貼付け用石壁本体を容易に嵌入し鉄骨子枠本体１に嵌合出来るように石壁受け鉄Ｌ上部アングル６側に一体化するように上部凸付き止め金具板を溶接保持するように介在し備え、石壁受け鉄Ｌ中部アングル７に一体化するようＬアングル下面側に上部凸付き止め金具板と底部凸付き止め金具板をＬアングルの上面側に係着するように設け、両金具板は溶接保持し係止介在するように設ける。【選択図】図１
0003214901.tif 000002
【実用新案登録請求の範囲】
【請求項１】
鉄骨子枠本体に鉄骨柱部及び鉄骨床柱部並びに天蓋鉄骨部を設け、天蓋鉄骨部上に宝塔鉄骨部設け、鉄骨子枠本体各所部分に石壁受け鉄Ｌ上部アングルと石壁受け鉄Ｌ中部アングル及び石壁受け鉄Ｌ下部アングルを設け、貼付け用石壁本体を容易に嵌入し鉄骨子枠本体に嵌合出来るように石壁受け鉄Ｌ上部アングル側に一体化するように上部凸付き止め金具板を溶接保持するように介在し備え、石壁受け鉄Ｌ中部アングルに一体化するようＬアングル下面側に上部凸付き止め金具板と底部凸付き止め金具板をＬアングルの上面側に係着するように設け、両金具板は溶接保持し係止するように設け、貼付け用石壁本体に備えた石壁平面上部に石壁平面角丸部と上凹受け溝各丸部を備えた上凹受け部孔溝と石壁底面下部に石壁底面角丸部と底凹受け溝角丸部を備えた底凹受け部孔溝設け、貼付け用石壁本体に設けた上凹受け部孔溝に上部凸付き止め金具板に備えた凸付き部に嵌入し介在するように上凹受け部孔溝に上部凸付き止め金具板に備えた凸付き部が嵌合するように係止させ、貼付け用石壁本体に設けた底凹受け部孔溝に底部凸付き止め金具板に備えた凸付き部に嵌入し介在するように底凹受け部孔溝に底部凸付き止め金具板に備えた凸付き部が嵌合し係止するように設け、貼付け用石壁本体を鉄骨子枠本体の四方に介装し、貼付け用上石壁と貼付け用下石壁を設け、納骨堂石壁胴枠本体縁を備えた納骨堂石壁枠組本体を設け、納骨堂本体蓋に宝塔置き部を設け、納骨堂本体上部囲い部を備え、納骨堂石壁胴枠本体縁に納骨堂本体上部囲い部を冠着するように介在させ咬合した石壁嵌合施工式納骨堂。
【請求項２】
重量のある貼付け用石壁本体を鉄骨子枠本体に設けた複数のＬアングルを設け、Ｌアングルに直接溶接し上部凸付き止め金具板並びに底部凸付き止め金具板を介在するように備え、貼付け用石壁本体に備えた石壁平面上部に石壁平面角丸部と上凹受け溝各丸部を備えた上凹受け部孔溝と、石壁底面下部に石壁底面角丸部と底凹受け溝角丸部を備えた底凹受け部孔溝を備えた貼付け用石壁本体を、上部凸付き止め金具板に備えた凸付き部に介在するように嵌入し上凹受け部孔溝に上部凸付き止め金具板に備えた凸付き部が嵌合するように係止させ、底凹受け部孔溝に底部凸付き止め金具板に備えた凸付き部に介在するように嵌入し底凹受け部孔溝に底部凸付き止め金具板に備えた凸付き部が嵌合し係止するように貼付け用石壁本体を介在し、Ｌアングルに設けた補助止めネジ孔部に補助止めネジを螺合し上部凹付き止め金具板に設けた補助止めネジ孔を通したネジ先が石壁平面上部に備えた上凹受け部孔溝に係止するように補助止めネジを螺合しＬアングルに直接溶接し設けた上部凸付き止め金具板の凸が上凹受け部孔溝に嵌合し、貼付け用石壁本体を係止して、安全を高めるために補助止めネジを挿着し貼付け用石壁本体を固定することを特徴とする前期請求項１に記載の石壁嵌合施工式納骨堂。
【請求項３】
重量のある貼付け用石壁本体をＬアングルに直接溶接し設けた上部凸付き止め金具板の凸が上凹受け部孔溝に嵌合し、貼付け用石壁本体を係止するように設け、耐震強度を更に高めるようにＬアングルに設けた補助止めネジ孔並びに上部凸付き止め金具板に備えたネジ孔を通しアンカーネジと貼付け用石壁本体の石壁平面上部に備えた耐震用アンカープラグにアンカープラグを螺嵌するように設け、Ｌアングルと保持するように貼付け用石壁本体の石壁平面上部に設けた耐震用アンカープラグにアンカーネジを螺嵌し貼付け用石壁本体を固定することを特徴とする前期請求項１に記載の石壁嵌合施工式納骨堂。
【請求項４】
貼付け用石壁本体を鉄骨子枠本体に介在するように設けた石壁嵌合施工式納骨堂の背面に経机を備え、宝塔置き部には形状の違う宝塔を容易に備えることを特徴とする前期請求項１、２、３に記載の石壁嵌合施工式納骨堂。
【考案の詳細な説明】
【技術分野】
【０００１】    本考案は、多目的に使用できるコンパクトな形状のため、現地の接地場所にとらわれず容易に現地で組立施工が可能であり、納骨堂に使われる石は高級感のある黒の御影石やその他好みの色の石材から選択が可能で、貼付け用石壁本体に使われる石材は容易に加工ができるため、コスト面も低廉でありながら高級感の石材まで考慮でき、内装も外の貼付け用石壁本体の色が再現され床面から天井の面も石で覆われ、品位と高級感を引き出す石一体形状の納骨堂の提供に関するものである。
【背景技術】
【０００２】    従来の納骨堂は、家を建築する建て方で、木と石材を併用した作りの納骨堂はあった。また外装を石材製で背面と側面で作られ正面に外にむき出しの納骨室を設けたユニット型の納骨堂はあった。また石組工法による納骨堂構造の納骨堂はあった。
【先行技術文献】
【先行特許文献】
【０００４】    特許文献１で提案されている合祀納骨堂では床板と壁部材及び天井板で納骨室を構成しており、分割した単位板を組み合わせて形成している合祀納骨堂の上部に宝塔台を備え宝塔台の上に石で作られた釈迦像を載せて構成されている。
【特許文献１】特開２００９−２８７２９５公報
【先行技術文献】
【先行特許文献】
【０００５】  特許文献２で提案されている組み立て式納骨度一体型墓石ではフタ兼用石、納骨堂前石板並びに納骨堂横石板、納骨堂後石板これらを土台石に乗せ固定するとし、現地で組立できる組み立て式納骨度一体型墓石で構成されている。
【特許文献１】特開２０１２−２０５０公報
【先行技術文献】
【先行特許文献】
【０００６】  特許文献３で提案されている納骨堂では、納骨堂本体、納骨棚、屋根、袖石などを全て小石材部品による組立構造とし、基台上に複数本の支柱を立設し、支柱に刻設した溝に壁材を嵌装して納骨室を構成していることを特徴とした組立工法による石組み納骨堂構造とされている。
【特許文献１】特開２０１０−２８５７９５公報
【考案の概要】
【考案が解決しようとする課題】      この考案が解決しようとする課題は、上記のように、分割した単位板を組合せて形成しコンパクトな納骨堂を提供するものは多々あり、納骨堂の上部に宝塔台を備えた形状も存在する、また石で組み立て式方式で提供した納骨堂も有り、墓石の中を空洞にすることで個人用の納骨堂を設けた小型な現地で組立出来る工法の提供であり、又オール石材の小石材を部品にして嵌装して納骨室を構成しているが、昔からの施工形状の石出覆われた建物形状で組立る工法による石組み納骨堂構造である。いずれにおいても墓石の持つ魅力的な高級感からはかけ離れた構成の納骨堂ではなかった課題があった。
また従来の施工方式では、墓石に使用される高級感のある石の価値観を引き出せない納骨堂の提供が多々あることも課題であった。そこで一定の大きさの面積を備えた墓石壁を添えて組み立てる工法により、建物の骨子に鉄骨を用いた形状を構成し、コストの低廉な薄い幅の石壁を活用し、容易に鉄の骨子に介在し石壁を容易に介装できる工法の納骨堂を提供することにより、外観と内装の石壁のもつ品位の高い石壁嵌合構成の施工式納骨堂が提供できる。
【考案の開示】
【考案が解決しようとする課題】
【０００７】      その為に次のような問題点があった。
家を作る施工方式から脱皮出来ない納骨堂の形態に仕上がり、屋根がトタンや瓦敷き形状になり、石一体型の納骨堂はコンクリート使用で固める為、雨漏りはしないが外観に高級感を満たさない納骨堂の提供なった。本考案は以上の問題点を解決するためになされたものである。
【課題を解決するための手段】
【０００８】      本考案は、墓石に使用される御影石等を貼付け用石壁本体に用い、貼付け用上石壁と貼付け用下石壁を容易に取り扱える大きさに容積を小さくした貼付け用石壁本体を主体に納骨堂石壁胴枠組本体を組合せる施工で、納骨堂を組み立て出来るようにし、貼付け用石壁本体を鉄骨子枠本体に設けたＬアングルに備えた上部凸付き止め金具板及び底部凸付き止め金具板を直接溶接し、貼付け用石壁本体を鉄骨子枠本体に容易に介在するように設け組み立て施工できるようにした石壁嵌合施工式納骨堂である。
【考案の効果】
【０００９】    墓石に使用される御影石等を貼付け用石壁本体に用い鉄骨子枠本体に介在するように設けた石壁嵌合施工式納骨堂は納骨堂石壁胴枠組本体の外壁と納骨堂本体蓋についている宝塔置き部全て外観とその納骨堂の中の壁は墓石に使用される御影石を貼付け用石壁本体が納骨堂の内面に現れる為、外観も内部壁の一体化した石が貼付けされ、床面並びに天井壁も同じく統一される、また貼付け用上石壁と貼付け用下石壁等の合わせ目は石と同一色の目地コーキングで仕上がり、遠目では一体化した外観を感じさせる出来合いを提供でき、墓石の持つ気品高い石壁嵌合施工式納骨堂である。
【考案を実施するための最良の形態】
【０００１０】      以下本考案の実施の形態に付いて説明する。
（イ）鉄骨子枠本体（１）に鉄骨柱部（２）及び鉄骨床柱部（３）並びに天蓋鉄骨部（４      ）を設け、天蓋鉄骨部上（４）に宝塔鉄骨部設（５）け、鉄骨子枠本体（１）各所      部分に石壁受け鉄Ｌ上部アングル（６）と石壁受け鉄Ｌ中部アングル（７）及び石      壁受け鉄Ｌ下部アングル（８）を設ける。
（ロ）貼付け用石壁本体（９）を容易に嵌入し鉄骨子枠本体（１）に嵌合出来るように石      壁受け鉄Ｌ上部アングル側（６）に一体化するように上部凸付き止め金具板（２２      ）を溶接保持するように介在し備え、石壁受け鉄Ｌ中部アングル（７）に一体化す      るようＬアングル下面側に上部凸付き止め金具板（２２）と底部凸付き止め金具板      （２３）をＬアングルの上面側に係着するように設け、両金具板は溶接保持し係止      介在するように設ける。
（ハ）貼付け用石壁本体（９）に備えた石壁平面上部（１０）に石壁平面角丸部（２８）      と上凹受け溝各丸部（２９）を備えた上凹受け部孔溝（１２）と石壁底面下部（１      １）に石壁底面角丸部（３２）と底凹受け溝角丸部（３３）を備えた底凹受け部孔      溝（１３）設ける。
（二）貼付け用石壁本体（９）に設けた上凹受け部孔溝（１２）に上部凸付き止め金具板      （２２）に備えた凸付き部に嵌入し介在するように上凹受け部孔溝に上部凸付き止      め金具板に備えた凸付き部（３０）が嵌合するように係止させる。
（ホ）貼付け用石壁本体（９）に設けた底凹受け部孔溝（１３）に底部凸付き止め金具板      （２３）に備えた凸付き部（３０）に嵌入し介在するように嵌入し底凹受け部孔溝      （１３）に底部凸付き止め金具板（２３）に備えた凸付き部（３０）が嵌合し係止      するように設ける。
（ヘ）貼付け用石壁本体（９）を鉄骨子枠本体（１）の四方に介装し、貼付け用上石壁（      ４１）と貼付け用下石壁（４２）を設け、納骨堂石壁胴枠本体縁（４０）を備えた      納骨堂石壁枠組本体（３９）を設ける。
（ト）納骨堂本体蓋（３６）に宝塔置き部（３７）を設け納骨堂本体上部囲い部（３８）      を備える。
（チ）納骨堂石壁胴枠本体縁（４０）に納骨堂本体上部囲い部（３８）を冠着するように      介在させ咬合するように設けてなる。
本考案は、以上の構成で正面にはドアから出入り出来、納骨堂の中は四方共に外から    嵌めこまれた、石壁が壁になり、高級な品の高い構造で仕上がっていて、多目的な使    い勝手の良いスペースが有るため、今流行りの多段式個室型納骨室にも簡単に早変わ    りして使うことも可能であり、本体の背面に経机を設けて、簡易な祭壇を設けること    などにも使えることを特徴とする石壁嵌合施工式納骨堂
【図面の簡単な説明】
【０００１１】
【図１】  本考案の実施鉄骨子本体による立体図から示す斜視図
【図２】  本考案の実施による貼付け用石壁本体から示す拡大斜視図
【図３】  本考案の実施による側面図から示す拡大斜視図
【図４】  本考案の実施の形態に係る貼付け用石壁本体上部の施工を示す拡大斜視図
【図５】  本本考案の実施の形態に係る貼付け用石壁本体底部の施工を示す拡大斜視図
【図６】  本考案の実施状態を示す納骨堂本体蓋を示す斜視図
【図７】  本考案の納骨堂石壁枠本体実施状態を示す斜視図
【図８】  本考案の実施状態を示す正面斜視図
【図９】  本考案の実施状態を示すから示す背面斜視図
【図１０】  本考案の実施状態を示す写真から示す斜視図
【図１１】  本考案の実施状態を示す写真から示す斜視図
【図１２】  本考案の別例実施状態を示す斜視図
【図１３】  本考案の別例実施状態を示す斜視図
【図１４】  本考案の別例実施状態を示す斜視図
【符号の説明】
【０００１２】１    鉄骨子枠本体
２    鉄骨柱部
３    鉄骨床柱部
４    天蓋鉄骨部
５    宝塔鉄骨部
６    石壁受け鉄Ｌ上部アングル
７    石壁受け鉄Ｌ中部アングル
８    石壁受け鉄Ｌ下部アングル
９    貼付け用石壁本体
１０  石壁平面上部
１１  石壁底面下部
１２  上凹受け部孔溝
１３  底凹受け部孔溝
１４  上箱形アングル部
１５  中箱形アングル部
１６  下箱形アングル部
１７  補助止めネジ孔部
１８  耐震用止めネジ孔
１９  耐震用止めネジ孔
２０  耐震用止めネジ孔
２１  耐震用止めネジ孔
２２  上部凸付き止め金具板
２３  底部凸付き止め金具板
２４  ネジ孔
２５  補助止めネジ
２６  アンカーネジ
２７  補助止めネジ孔
２８  石壁平面角丸部
２９  上凹受け溝各丸部
３０  凸付き部
３１  アンカープラグ
３２  石壁底面角丸部
３３  底凹受け溝角丸部
３４  止めネジ頭部受け溝
３５  止めネジ頭部受け溝
３６  納骨堂本体蓋
３７  宝塔置き部
３８  納骨堂本体上部囲い部
３９  納骨堂石壁胴枠組本体
４０  納骨堂石壁胴枠本体縁
４１  貼付け用上石壁
４２  貼付け用下石壁
４３  納骨堂正面
４４  目地コーキング
４５  納骨堂背面
４６  経机
【図１】
0003214901.tif 000003
【図２】
0003214901.tif 000004
【図３】
0003214901.tif 000005
【図４】
0003214901.tif 000006
【図５】
0003214901.tif 000007
【図６】
0003214901.tif 000008
【図７】
0003214901.tif 000009
【図８】
0003214901.tif 000010
【図９】
0003214901.tif 000011
【図１０】
0003214901.tif 000012
【図１１】
0003214901.tif 000013
【図１２】
0003214901.tif 000014
【図１３】
0003214901.tif 000015
【図１４】
0003214901.tif 000016